(57)【要約】【課題】排出されたシート材の受け位置および受け部に受けられた仕分け済みのシート材の取り出し位置の自由度が高く、しかも、排出部より取り出し位置を高くすることができる画像処理装置の画像処理済みシート材仕分け装置を提供することを目的としている。【解決手段】画像処理装置に設けられた排出部から排出される画像処理されたシート材の受け位置を含む同一周回軌道上を所定間隔で移動する複数のシート材受け部を有する画像処理装置の画像処理済みシート材仕分け装置において、前記周回軌道が略垂直の平面に沿うように設けられているとともに、各受け部が周回軌道の全周でそのシート材受け面を水平状態に保つように支持されていることを特徴としている。【選択図】      図２
2005119855.tif 000002
【特許請求の範囲】
【請求項１】
画像処理装置に設けられた排出部から排出される画像処理されたシート材の受け位置を含む同一周回軌道上を所定間隔で移動する複数のシート材受け部を有する画像処理装置の画像処理済みシート材仕分け装置において、
前記周回軌道が略垂直の平面に沿うように設けられているとともに、各受け部が周回軌道の全周でそのシート材受け面を水平状態に保つように支持されていることを特徴とする画像処理装置の画像処理済みシート材仕分け装置。
【発明の詳細な説明】
【技術分野】
【０００１】
本発明は、画像処理装置の画像処理済みシート材仕分け装置に関する。
【背景技術】
【０００２】
写真処理装置やデジタル画像プリンタ等の画像処理装置においては、画像処理装置から排出される画像処理済みのシート材をオーダー毎に仕分ける仕分け装置が装着されたものがある。
このような仕分け装置として、図５に示すような仕分け装置１００や図６に示すような仕分け装置２００が従来から用いられている（たとえば、特許文献１、２参照）。
【０００３】
すなわち、図５に示す仕分け装置１００は、画像処理装置３００の一方の側壁面に沿うように設けられ、画像処理済みのシート材（図示せず）を受ける受け部となる多数の受け皿１１０を多数備えていて、各受け皿１１０が画像処理装置３００に設けられた排出部３１０から排出される画像処理されたシート材の受け位置を含む周回軌道上を移動するようになっている。そして、排出部３１０に臨む位置に移動してきた受け皿１１０のシート材受け面上にシート材がオーダー分受けられたら、そのシート材が受けられた受け皿１１０が一段下方に移動し、つぎの受け皿１１０が排出部３１０を臨む位置にきて、次のオーダー分のシート材がつぎの受け皿１１０の受け部に受けられるという工程を繰り返し、シート材がオーダー毎に各受け皿１１０に仕分けられるようになっている。そして、受け皿１１０に受けられたシート材は、周回軌道の下端に達するまでの間にオペレータ等によって手で取り出されるようになっている。
【０００４】
一方、図６に示す仕分け装置２００は、画像処理装置４００の画像処理済みシート材５００の排出口４１０を臨む部分にベルトコンベヤ２１０が設けられ、排出口４１０から排出されたシート材５００を受け部となる停止状態のベルトコンベヤ２１０の上面で受け、ベルトコンベヤ２１０上に設定された枚数のシート材が受けられたら、シート材が受けられた部分を排出部４１０を臨む部分からずれた位置まで水平方向に移動させるという動作を繰り返すことによって、シート材をオーダー毎に仕分けるようになっている。
【０００５】
【特許文献１】特開２００１−１３６６７号公報
【特許文献２】特開２００１−９２０２４号公報
【発明の開示】
【発明が解決しようとする課題】
【０００６】
しかしながら、上記仕分け装置１００，２００にはいずれもつぎのような問題があった。すなわち、前者の仕分け装置１００の場合、周回軌道の最下端まできた受け皿１１０は、そのシート材受け面が反転するとともに、半分に折り畳まれた状態で、周回軌道の上端方向に移動する。したがって、オペレータ等は、受け皿１１０のシート材受け面が上方を向いている間でしか受け皿１１０に受けられたシート材を取り出すことができない。すなわち、逆方向からは取り出すことができない。しかも、排出部３１０より下方でしかシート材を取り出すことができないので、画像処理装置の設置面から高い位置で仕分けられたシート材の取り出しを行おうとすると、画像処理装置３００の排出部３１０の高さも高くしなければならず、画像処理装置３００が大型化する。
【０００７】
一方、後者の仕分け装置２００の場合、受け部を多数設けようとすると、ベルトコンベヤ２１０の長さを長くする必要があり、結果として画像処理装置もベルトコンベヤ２１０の搬送方向に大きくせざるを得ない。また、この仕分け装置２００の場合も、受けたシート材が、常に排出部４１０よりも下方に位置するため、受け部であるベルトコンベヤの高さ位置を高くすると、排出部４１０の高さも高くしなければならず、画像処理装置４００もその高さ方向に大型化せざるをえない。
【０００８】
本発明は、上記事情に鑑みて、排出されたシート材の受け位置および受け部に受けられた仕分け済みのシート材の取り出し位置の自由度が高く、しかも、排出部より取り出し位置を高くすることができる画像処理装置の画像処理済みシート材仕分け装置を提供することを目的としている。
【課題を解決するための手段】
【０００９】
上記目的を達成するために、本発明にかかる画像処理装置の画像処理済みシート材仕分け装置は、画像処理装置に設けられた排出部から排出される画像処理されたシート材の受け位置を含む同一周回軌道上を所定間隔で移動する複数のシート材受け部を有する画像処理装置の画像処理済みシート材仕分け装置において、前記周回軌道が略垂直の平面に沿うように設けられているとともに、各受け部が周回軌道の全周でそのシート材受け面を水平状態に保つように支持されていることを特徴としている。
【００１０】
本発明において、画像処理装置とは、写真現像処理装置、インクジェットプリンタ、電子写真式プリンタ等が挙げられ、シート材とは、印画紙、印刷紙、コピー紙等が挙げられる。
【発明の効果】
【００１１】
本発明にかかる画像処理装置の画像処理済みシート材仕分け装置は、上記のように受け部が周回軌道上を全周にわたってそのシート材受け面を水平状態に保ちながら移動するように構成されているので、シート材受け面に受けられたシート材は、受け部に受けられた状態で周回軌道の全周を受け部とともに移動する。したがって、周回軌道のいずれの位置にあるときでも、受け部に受けられたシート材を受け部から取り出すことができる。すなわち、オペレータ等が高い位置でも低い位置でもどの位置でも取り出せる。また、受け部が排出部を臨む位置が、周回軌道の低い位置になるように画像処理装置に取り付けるようにすれば、シート材を受けた受け部が、排出部より高い位置まで移動する。したがって、排出部の位置を移動させるなど画像処理装置の構造を変更しなくても、仕分けられたシート材の取り出し位置を容易に変更することができ、コストダウンを図ることができる。
また、周回軌道が略垂直の平面に沿うように設けられているので、仕分け装置の幅方向の寸法を最小限に止めることができる。
【発明を実施するための最良の形態】
【００１２】
以下に、本発明を、その実施の形態をあらわす図面を参照しつつ詳しく説明する。
図１〜図３は、本発明にかかる画像処理装置の画像処理済みシート材仕分け装置の１つの実施の形態をあらわしている。
【００１３】
図１〜図３に示すように、この画像処理済みシート材仕分け装置（以下、「仕分け装置」とのみ記す）１は、受け皿駆動手段２と、受け部としての５つの受け皿３とを備えている。
受け皿駆動手段２は、２枚の回転プレート２ａ，２ｂと、駆動伝達軸２ｃと、モータ連結軸２ｄとを備えている。
【００１４】
２枚の回転プレート２ａ，２ｂは、円盤状をしていて、その中心軸２１が水平方向にずれた状態で平行に設けられ、図１に示すように、中心軸２１を中心に回転するように、枠２ｅに支持されているとともに、中心軸２１の先端にプーリー２２が外嵌されている。
また、２枚の回転プレート２ａ，２ｂは、その対向面に、それぞれ等ピッチで５本の枢支ピン２３ａ，２３ｂが設けられ、対応する枢支ピン２３ａ，２３ｂが常に水平位置を保つとともに、その間隔も一定間隔を保ちながら後述するように等速で同方向に回転するようになっている。
【００１５】
駆動伝達軸２ｃは、回転プレート２ａ，２ｂの中心軸２１に平行に設けられ、その両端部が枠２ｅに支持されているとともに、その両端にプーリー２４が外嵌されている。
モータ連結軸２ｄは、一方の回転プレート２ａ側で枠２ｅにその一端部が支持され、他端が枠２ｅの外側に設けられるモータ（図示せず）の駆動軸に連結されるようになっていて、中間部にプーリー２５が外嵌されている。
【００１６】
そして、一方の回転プレート２ａ側では、プーリー２２、２４、２５にＶベルト２６が掛けられ、他方の回転プレート２ｂ側では，プーリー２２、２４にＶベルト（図では現れていない）が掛けられている。
すなわち、２枚の回転プレート２ａ，２ｂは、モータの回転駆動力によってモータ連結軸２ｄが回転するとその回転駆動力がＶベルト２６およびプーリー２２、２４を介して一方の回転プレート２ａおよび駆動伝達軸２ｃに伝達され、回転プレート２ａがその中心軸２１まわりに回転するとともに、駆動伝達軸２ｃも回転する。また、この駆動伝達軸２ｃの回転駆動力が他方の回転プレート２ｂ側のＶベルト２６およびプーリー２２、２４によって、他方の回転プレート２ｂの中心軸２１に伝達され、両側の回転プレート２ａ，２ｂが同じ速度で同じ回転方向に回転する。
【００１７】
各受け皿３は、シート材受け面となる長方形をした板状の底板部３１と、底板部３１の長辺側の両側縁から垂直に立ち上がる側壁３２と、短辺側の一方の側縁から立ち上がるとともに、中央部が切り欠かれた後壁３３とを備えていて、それぞれ、後壁３３側の端部が、一方の回転プレート２ａから他方の回転プレート２ｂ側に延出するように設けられた枢支ピン２３ａによって枢支され、後壁３３と逆側の端部が、他方の回転プレート２ｂから一方の回転プレート２ａ側に延出するとともに、枢支ピン２３ａと常に同じ高さ位置に配置される枢支ピン２３ｂによって枢支されている。
したがって、各受け皿３は、回転プレート２ａ、２ｂの回転に伴って、底板部３１の水平状態を常に保ちながら、円形の周回軌道上を間隔を保ちながら移動するようになっている。
【００１８】
そして、この仕分け装置１は、図３に示すように、画像処理装置４の画像処理済みシート材５の排出部４１を臨む位置を受け皿３の周回軌道が通るとともに、底板部３１の後壁３３とは反対側が画像処理装置４側を向くように画像処理装置４に溶接やボルトによって固定装着することにより、以下のようにして、画像処理済みシート材５を仕分けることができる。
すなわち、５つの受け皿３のうちの１つを、排出部４１を臨む位置に配置し、排出部４１から排出される画像処理済みシート材５を１オーダー分あるいはオペレータ等によって予め設定された仕分け枚数分を受け皿３の底板部３１に受ける。
【００１９】
そして、１オーダーあるいは仕分け枚数の画像処理済みシート材５が底板部３１に受けられたら、回転プレート２ａ，２ｂをつぎの受け皿３が排出部４１を臨む位置にくるように回転させ、再び画像処理済みシート材５を受け皿３の底板部３１に受けるという動作を繰り返し、画像処理済みシート材５を１オーダー分あるいは仕分け枚数分ずつ各受け皿３に仕分けるようになっている。
また、このように各受け皿３に仕分けられた画像処理済みシート材５は、オペレータ等が受け皿３から手で取り出すようになっている。
【００２０】
以上のように、この仕分け装置１によれば、受け皿３の底板部３１が周回軌道上を全周にわたって水平状態を保ちながら移動するようになっているので、仕分けられて受け皿３の底板部３１に受けられた画像処理済みシート材５をいずれの位置でも取り出すことができる。しかも、画像処理装置４への取り付け位置を選択すれば、画像処理装置４の形状を変更しなくても仕分けられた画像処理済みシート材５の取り出し位置を排出口４１より高い位置にすることができる。
また、受け皿３が側壁３２と、後壁３３とを備えているので、排出部４１から底板部３１上に排出された画像処理済みシート材５が底板部３１からずれ落ちたりすることがない。しかも、後壁３３の中央部が切り欠かれているので、底板部３１からの画像処理済みシート材５の取り出しも容易である。
【００２１】
図４は、本発明にかかる画像処理装置の画像処理済みシート材仕分け装置の他の実施の形態をあらわしている。
【００２２】
図４に示すように、この仕分け装置６は、受け皿駆動手段７と、受け部としての５つの受け皿８とを備えている。
受け皿駆動手段７は、２つの円盤状をしたフレーム部（図４では片側しかあらわれていない）７１と、両フレーム部７１の駆動軸７２とを備えている。
【００２３】
駆動軸７２は、両フレーム部７１の中心を貫通するとともに、両フレーム部７１が固定されていて、モータ（図示せず）によって回転駆動されることによって、両フレーム部７１を中心軸を中心にして回転させるようになっている。
一方、５つの受け皿８は、それぞれ、上記仕分け装置１の受け皿３と略同形状の本体部８１と、山形をして両フレーム部７１にその両端が固定された枢支軸８２によってその上端が枢支された吊り下げ部材８３とを備え、無負荷状態では、本体部８１が自重によって常にその底板部８１ａを水平状態に保つようになっている。なお、図４中、８１ｂは本体部８１の側壁、８１ｃは本体部８１の後壁である。
【００２４】
そして、この仕分け装置６は、図４に示すように、周回軌道の一部が画像処理装置４の排出部４１を臨むとともに、駆動軸７２が略水平となるように、アーム６１を介して画像処理装置４の壁面に溶接やねじによって取り付けられ、駆動軸７２にモータが連結されるようになっていて、以下のようにして、画像処理済みシート材５を仕分けることができる。
すなわち、５つの受け皿３のうちの１つを、排出部４１を臨む位置に配置し、排出部４１から排出される画像処理済みシート材５を１オーダー分あるいはオペレータ等によって予め設定された仕分け枚数分を受け皿３の底板部３１に受ける。
【００２５】
すなわち、上記仕分け装置１と同様に、１オーダー分あるいは設定された仕分け枚数分の画像処理済みシート材５が底板部８１ａに受けられたら、フレーム部７１を駆動軸７２を中心にしてつぎの受け皿７が排出部４１を臨む位置にくるように回転させ、再び画像処理済みシート材５を受け皿７の底板部８１ａに受けるという動作を繰り返し、画像処理済みシート材５を１オーダー分あるいは仕分け枚数分ずつ各受け皿８に仕分けるようになっている。
また、このように各受け皿８に仕分けられた画像処理済みシート材５は、オペレータ等が受け皿８から手で取り出すようになっている。
【００２６】
本発明にかかる仕分け装置は、上記の実施の形態に限定されない。たとえば、上記の仕分け装置１の場合、モータに回転駆動力をＶベルト２６を用いて伝達するようにしているが、タイミングベルトやギヤを用いても構わない。
【図面の簡単な説明】
【００２７】
【図１】本発明にかかる画像処理済みシート材仕分け装置の１つの実施の形態をあらわす平面図である。
【図２】図１の画像処理済みシート材仕分け装置要部斜視図である。
【図３】図１の画像処理済みシート材仕分け装置の画像処理装置への装着状態の１例を模式的にあらわす図である。
【図４】本発明にかかる画像処理済みシート材仕分け装置の他の実施の形態をあらわし、画像処理装置への装着状態の１例を模式的にあらわす図である。
【図５】従来の仕分け装置付きの画像処理装置の１例をあらわす斜視図である。
【図６】従来の仕分け装置付きの画像処理装置の他例をあらわす斜視図である。
【符号の説明】
【００２８】
１、６  画像処理済みシート材仕分け装置
３、８  受け皿（受け部）
３１，８１ａ  底板部（シート材受け面）
４  画像処理装置
５  画像処理済みシート材
【図１】
2005119855.tif 000003
【図２】
2005119855.tif 000004
【図３】
2005119855.tif 000005
【図４】
2005119855.tif 000006
【図５】
2005119855.tif 000007
【図６】
2005119855.tif 000008